【事件の表示】
　平成　１年特許願第１７１６２１号「自動演奏装置」拒絶査定に対する審判事件〔平成　３年　２月１８日出願公開、特開平　３−　３６５９９、平成　７年１２月２５日出願公告、特公平　７−１２２７９３、請求項の数（８）〕について、次のとおり審決する。
【結　論】
　原査定を取り消す。
　本願の発明は、特許すべきものとする。
【理　由】
第１　本願発明
　本願は、平成１年７月３日の出願であって、その発明（以下「本願発明」という。）は、当審の拒絶理由に対して補正された特許請求の範囲（請求項の数８）に記載された次に掲げるものである。
「（１）自動演奏曲データが記憶される記憶手段と、
　前記記憶手段から読出された自動演奏曲データを音源手段に出力して自動演奏を行わせる自動演奏手段と、
　複数曲分のオーディオデータが記憶されると共に、この複数曲分のオーディオデータの夫々に対応する自動演奏曲データが記憶された記録媒体と、
　前記記録媒体からオーディオデータを再生する再生手段と、
　所望する曲の指定操作に応じて、指定曲に対応する自動演奏曲データを前記記録媒体から読出して前記記憶手段に記憶させると共に、指定曲のオーディオデータの前記記録媒体上における先頭記録位置を頭出しする第１の制御動作と、スタート指示操作に対応して、前記記録媒体上で既に頭出しされているオーディオデータの再生開始と、前記記憶手段から自動演奏曲データを読出すことによる自動演奏の開始と同期した状態で制御する第２の制御動作とを行なう制御手段とを備え、
　前記記録媒体が、コンパクトディスクであり、
　前記コンパクトディスクのプログラムエリアのオーディオエリアには、前記オーディオデータが記録され、前記コンパクトディスクのプログラムエリアのサブコードエリアのユーザーズビットエリアには、前記自動演奏曲データが記録され、
　前記ユーザーズビットエリアに記録されている前記自動演奏曲データは、
　前記音源手段に対して発音の開始を指示する、ＭＩＤＩメッセージにおけるノート・オン・メッセージに対応する発音開始データと、
　前記発音の時間長を示す音長データを含み、当該発音の時間を制御する、ＭＩＤＩメッセージにおけるエクスクルーシブ・メッセージを用いて規定した時間制御データと、
　前記音源手段に対して発音の終了を指示する、ＭＩＤＩメッセージにおけるノート・オフ・メッセージに対応する発音終了指示データとを有し、
　前記制御手段が、前記ユーザーズビットエリアの発音開始指示データ、時間制御データおよび発音終了指示データに従って、所定のタイミングおよび所定の音長で楽音を発音させることにより、オーディオデータの再生と自動演奏曲データの発音との同期を維持することを特徴とする自動演奏装置
　（２）前記時間制御データは、オーディオデータの再生開始から自動演奏による最初の楽音の発生開始までの時間を示すデータを含み、
　前記制御手段は、前記スタート指示操作に応じて前記再生手段を制御し、前記記録媒体からのオーディオデータ再生を開始させると共に、このスタート指示操作に応じて前記記憶手段から時間制御データを含む自動演奏曲データを順次読み出させる第２の制御動作を実行し、
　前記自動演奏手段は、前記記憶手段から前記時間を示すデータが読み出されると、当該データに対応する時間経過後に最初の発音開始指示データを音源手段に与えて自動演奏を行うことを特徴とする請求項１に記載の自動演奏装置
　（３）前記自動演奏曲データの先頭部分に、前記自動演奏指示の開始前に、前記自動演奏制御手段を介して前記音源手段に対し音色の設定を行わせる音色設定データを含むことを特徴とする請求項１又は２に記載の自動演奏装置
　（４）前記音色設定データが、ＭＩＤＩメッセージにおけるプログラム・チェンジ・メッセージであることを特徴とする請求項３に記載の自動演奏装置
　（５）前記コンパクトディスクのリードインエリアには、前記コンパクトデイスクに記憶される前記オーディオデータ及び前記自動演奏曲データの各頭出しを行うための目次データが記憶されることを特徴とする請求項１ないし４の何れか一項に記載の自動演奏装置
　（６）前記日次データは、前記コンパクトディスクに記憶される前記オーディオデータ及び前記自動演奏曲データの各々と該各データの各先頭フレームの番号とを対応させたデータであることを特徴とする請求項５に記載の自動演奏装置
　（７）前記オーディオデータは、所定の演奏パート以外の演奏パートの楽曲を示すマイナスワンデータであり、
　前記自動演奏曲データは、該所定の演奏パートの自動演奏指示を行わせるためのデータであることを特徴とする請求項１ないし６の何れか一項に記載の自動演奏装置
　（８）前記コンパクトディスクのオーディオエリアの左チャンネルには第１の演奏パート以外の演奏パートの楽音を示す第１のマイナスワンデータである前記オ一ディオデータが記憶され、前記オーディオエリアの右チャンネルには第２の演奏パート以外の楽曲を示す第２のマイナスワンデータである前記オーディオデータが記憶され、
　前記コンパクトディスクの前記サブコードエリアには前記第１及び第２の演奏パートの自動演奏指示を行わせるためのデータが記憶されることを特徴とする請求項１ないし７の何れか一項に記載の自動演奏装置」
　
第２　引用例発明
　本願出願公告に対して異議申立がなされた後の拒絶の理由で引用された引用例は、次の引用例１ないし６に掲げるものである。
　引用例１：実願昭５７−６３６６６号（実開昭５８−１６６６９４号公報参照）のマイクロフィルム（異議申立後に提出された参考文献と同じ）
　引用例２：特開昭５８−１４１８９号公報
　引用例３：特開昭６２−１４６４７０号公報
　引用例４：特開昭６４−２０９８号公報
　引用例５：特開昭６３−１９３１９２号公報
　引用例６：実願昭６１−２２５５３号（実開昭６２−１３８３６１号公報参照）のマイクロフィルム
　
　１　引用例１の発明
「楽曲の楽音データと、前記楽曲に関する複数の自動演奏データとが共通に記録されてなる記録媒体と、この記録媒体から前記各データを読み取ると共に前記楽音データに対応する楽音再生、または前記複数の自動演奏データのうちの任意の自動演奏データに基づく自動演奏、またはこれら楽音再生と自動演奏の両方を行なう装置とを具備してなることを特徴とする自動演奏装置（１頁６行ないし１３行）
　この種の自動演奏装置は、楽曲の演奏教習用等に用いて効果的なものであり、従来、オーケストラ音に対応する楽音およびピアノの自動演奏データ（楽譜データ）を記録し、この記録されたデータに基づいてオーケストラ音の発音とピアノの自動演奏、押鍵指示とを同時に行なわせるようにしたものがある。（２頁１１行ないし１７行）
　オーケストラ音等の楽音発生と希望する楽器音による自動演奏押鍵指示等を同時に行ない得るようにして教習効果をより高めた自動演奏装置（３頁３行ないし６行）
　オーケストラ楽等の楽音データと、各楽器音に対応する楽器パート別の自動演奏データ等が共通に記録された記録媒体を用いること（３頁７行ないし１０行）
　これら各楽譜データは音符データ（音高を示す音高データと符長を示す符長データとの組合わせデータ）が演奏順に配列されてなるものである。（４頁１７行ないし末行）
　自動演奏データ記録部１０は読取装置７から供給されるデータのうち自動演奏データ群５すなわち、トランペットパート５−１、・・・、オルガンパート５−i、＃１アレンジ５−（i＋１）、＃２アレンジ５−（i＋２）、・・・いずれかに対応する楽譜データの全楽符データを記録する記憶部であり、符長検出／読出制御部１６は自動演奏データ記憶部１０に記憶された楽譜データにおける各音符データを先頭のものから順に読出す制御部である。（６頁１３行ないし７頁２行）
　自動演奏データ記憶部１０に記憶されている楽譜データ中の各音高データは対応する符長データが示す符長時間が経過する毎に順次次の音高データに更新されて押鍵指示装置１７と楽音信号形成回路１８とへ供給される。（７頁１１行ないし１５行）」
　
　２　引用例２の発明
「特定される例えばピアノ等の楽器演奏音を除く他の楽器群からの演奏音は、電子的に集録し、再生音とすると共に、上記特定される楽器のみは、自動的に演奏し、また上記集録された演奏音と同期的に演奏し得るようにして、迫力に富む演奏を再現できるばかりか、効果的な演奏練習等も実行できるようにする演奏記録制御装置（１頁右下欄下から３行ないし２頁左上欄５行）
　４チャンネルのオーディオディスク２４に対して、演奏音信号２チャンネル、２種類の演奏データをそれぞれ他の２チャンネルにそれぞれ記録するようにしてもよい。このようにオーディオディスク２４に記録された情報は、記録再生制御回路１５において、再生モードで４チャンネル分周期的に読み出されるもので、２チャンネルの演奏音信号は、２チャンネルのスピーカーシステム２５a、２５bに導き、楽器群１１における演奏音を、高品質で音楽再生させる。また、読み取られた演奏データは、演奏データ再生駆動回路２６に供給し、この演奏データにもとづき自動演奏ピアノ１２を機械的に演奏駆動し、スピーカシステム２５a、２５bからの音響再生音と同期して、自動演奏ピアノ１２が自動演奏され、直接の楽器演奏音としてスピーカシステム２５a、２５bからの再生音と共に演奏表現されるようになる。（３頁左上欄末行ないし同頁右上欄下から３行）」
　
　３　引用例３の発明
「記録媒体の主情報記録領域に楽音のデジタル情報を記録するとともに補助情報記録領域に上記楽音と関連する楽器制御、あるいは音色制御に関する補助デジタル情報を記録し、再生時に上記デジタル情報、及び／又は補助デジタル情報を再生し、再生されたこの補助デジタル情報をを、対応する所定の音源発生器に供給してこの音源発生器を制御させるようにしたことを特徴とするデジタル情報記録再生装置（１頁左下欄１４行ないし同頁右下欄２行）
　補助デジタル情報として、いわゆるＭＩＤＩ（Musical Instrument Digital Interface ）コードが記録されるようにした。なお、このＭＩＤＩコードとは、所定の音源発生器を選択するとともに、選択された音源発生器に演奏させるものであり、所定の音源発生器を選択するための情報及び演奏に必要な音程、音階、及び音の長さ等を示す楽器制御情報を含んでいる。（２頁右上欄下から４行ないし同頁左下欄４行）
　主情報として歌のPCM信号を記録し、補助情報としてのこの歌の伴奏を行わせるＭＩＤＩコードを記録した場合には、上記信号再生系５のミキサ２２にて再生出力を選択することにより、歌だけの再生、歌と伴奏の再生、伴奏だけの再生といった３種類の再生形態を実現することができる。（３頁左上欄下から５行ないし同頁右上欄２行）」
　
　４　引用例４の発明
「この発明の目的は、前述の従来形における問題点に鑑み、演奏を記録し再生することのできる自動演奏装置付電子楽器において、演奏の記録後スイッチ操作を行なうことなく即座に再生モードで再生することができるようにすることにある。（中略）上記の目的を達成するためこの発明では、演奏を記録する記録モードにおける演奏の記録の後に電子楽器のモードを自動的に演奏を再生する再生モードに移行させるようにしている。（中略）従って、この発明によれば、演奏を記録し再生することのできる自動演奏装置付電子楽器において、演奏の記録を終了すると自動的に再生モードとなりスタートスイッチで即座に記録した演奏を確認することができる。（２頁右上欄下から３行ないし同頁左下欄下から６行）」
　
　５　引用例５の発明
「電子楽器のキーボードやコンピュータ等から入力される演奏情報に基づいて電子楽器の演奏音を録音する録音装置に関し、特に、入力された演奏音と既に記録されている演奏音とを重ね合せて記録することが可能な多重録音装置（２頁左下欄２行ないし６行）
　電子楽器の録音装置において、記録時、既に記録してある演奏音を再生しこの再生音と新たな入力音との双方の演奏情報をその発生時間に準じて書き込むとともに、再生した演奏音を書き込む際、タイミング情報は書込時のクロックに基づくのではなく、旧タイミングデータからの計算によって求めるようにしてある。（３頁左上欄８行ないし１５行）
　第７図に示すような、各３バイト長の「キーオン」、「キーオフ」および「時間間隔」データ、２バイト長の「トラックチェンジ」データ、ならびに１バイト長の「エンドマーク」である。なお、各データの第１のバイト目はそのデータの種類を示す識別マークである。「キーオン」および「キーオフ」データの識別マーク９X、８XにおけるXはそのデータのＭＩＤＩチャンネルを示す。（５頁左上欄９行ないし下から３行）」
　
　６　引用例６の発明
「スピーカーを駆動するための音声情報と、この音声情報に関連して自動楽器を駆動するための制御情報とを併記録してある自動楽器及びスピーカで音を再生するための記録媒体（１頁８行ないし１１行）
　コンパクトディスク（CD）と称されている光学式ディジタルオーディオディスクを記録媒体に用い、そのユーザビット部、即ち予備のコード記録部に自動演奏用の制御コードを入れ、PCM音声信号のエリアには自動演奏と合奏、重奏等を行うために収録された音声情報を入れる。（４頁２行ないし８行）
　８ビットのサブ・コードはユーザビットと称されていて、スチル画や文字表示等に用意されたもので、８ビットのうちR、S、T・・・・・Wの６ビットを自由に使用することができる。サブ・コードは４４Kビット／秒の伝送レード有しているので、自動楽器を駆動するためのディジタル制御コードを入れるには十分である。制御コードは自動ピアノの場合、鍵盤位置と打鍵強度の情報を含み、十数ビットで構成できるので、数フレームを用いて一個の鍵盤操作に対応した制御コードを１msec以内で送出することができる。ディスクから読取られた制御コードは一旦バッファメモリに記憶され、音楽データと同期して読出される。両者を同期させるために、同期ビットを利用することができる。音楽データは、自動ピアノの制御コードの収録と同時に録音された音声PCMデータであって、ピアノと合奏する弦、管、打楽器、歌唱などである。（５頁９行ないし６頁６行）」
　
第３　本願発明と引用例発明との対比・検討
　１　本願請求項１の発明との対比・検討
　　本願特許請求の範囲の請求項１に記載された発明（以下「本願請求項１の発明」という。）と引用例１の発明とを対比・検討すると、両発明は
「自動演奏曲データが記憶される記憶手段と、
　前記記憶手段から読出された自動演奏曲データを音源手段に出力して自動演奏を行わせる自動演奏手段と、
　複数曲分のオーディオデータが記憶されると共に、この複数曲分のオーディオデータの夫々に対応する自動演奏曲データが記憶された記録媒体と、
　前記記録媒体からオーディオデータを再生する再生手段と、
　所望する曲の指定操作に応じて、指定曲に対応する自動演奏曲データを前記記録媒体から読出して前記記憶手段に記憶させると共に、オーディオデータの再生開始と、前記記憶手段から自動演奏曲データを読出すことによる自動演奏の開始と同期した状態で制御する制御手段とを備え、
　前記オーディオエリアには、前記オーディオデータが記録され、前記自動演奏曲データエリアには、前記自動演奏曲データが記録され、
　前記自動演奏曲データは、
　前記音源手段に対して発音の開始を指示する、発音開始データと、
　前記発音の時間長を示す音長データを含み、当該発音の時間を制御する、時間制御データと、
　前記音源手段に対して発音の終了を指示する、発音終了指示データとを有し、
　前記制御手段が、前記発音開始指示データ、時間制御データおよび発音終了指示データに従って、所定のタイミングおよび所定の音長で楽音を発音させることにより、オーディオデータの再生と自動演奏曲データの発音との同期を維持することを特徴とする自動演奏装置」で一致するが、
上記「時間制御データ」が、本願請求項１の発明においては「コンパクトディスクのプログラムエリアのサブコードエリアのユーザーズビットエリア」に記録された「ＭＩＤＩメッセージにおけるエクスクルーシブ・メッセージを用いて規定した時間制御データ」であるのに対して、引用例１の発明においては「符長データ」である点で特に相違する。
　
　上記「時間制御データ」を「コンパクトディスクのプログラムエリアのサブコードエリアのユーザーズビットエリア」に記録された「ＭＩＤＩメッセージにおけるエクスクルーシブ・メッセージを用いて規定した時間制御データ」とすることについて検討する。
　コンパクトディスクのユーザビット（サブ・コード）部に自動演奏用の制御コードを入れることは、引用例６に記載されている。
　また、ＭＩＤＩコードが、音源発生器を選択するとともに、楽器制御情報を含んでいることは、引用例３に記載され、ＭＩＤＩチャンネルを用いて「キーオン」、「キーオフ」および「時間間隔」データを設定することは、引用例５に記載されている。
　しかし、引用例６の発明は「コンパクトディスクのプログラムエリアのサブコードエリアのユーザーズビットエリア」を利用することは記載されていても「ＭＩＤＩメッセージ」を利用することは記載されてなく、また、引用例３，５の発明は「ＭＩＤＩメッセージ」を利用することは記載されていても「コンパクトディスクのプログラムエリアのサブコードエリアのユーザーズビットエリア」を利用することは記載されていない。
　さらに、「ＭＩＤＩメッセージにおけるエクスクルーシブ・メッセージ」を利用することは、引用例３，５，６には記載されていない。
　なお、引用例２の発明は、集録した演奏音と楽器演奏音とを同期して再生するもの、引用例４の発明は、演奏の記録の後に電子楽器のモードを自動的に演奏を再生する再生モードに移行させるものである。
　以上、引用例１ないし６の発明は本願請求項１の発明における主要な事項である「コンパクトディスクのプログラムエリアのサブコードエリアのユーザーズビットエリア」に記録された「ＭＩＤＩメッセージにおけるエクスクルーシブ・メッセージを用いて規定した時間制御データ」を備えていないし、引用例１ないし６には、この主要な事項を示唆する記載もなされていない。
　そして、本願請求項１の発明は、上記主要な事項により、その明細書に記載された
「自動演奏曲データの先頭部分に、制御手段に対してオーディオデータの再生と自動演奏すべき最初の発音の楽音開始のタイミングを調整させるための時間制御データを含ませれば、オーディオデータの再生開始から一定時間後にパート演奏が開始されるようなものの自動演奏も確実にタイミングを合わせて行うことが可能となる。」という効果を奏するものである。
　
　２　本願請求項２ないし８の発明との対比・検討
　本願特許請求の範囲の請求項２ないし８に記載された発明は、本願請求項１の発明を引用する発明であるから、上記第３の１で対比・検討したように、引用例１ないし６の発明は、本願請求項１の発明における上記主要な事項を備えていないし、引用例１ないし６には、この主要な事項を示唆する記載もなされていない。
　
第４　異議申立での証拠
　異議申立での証拠は次に掲げる甲第１，２号証及び参考文献である。
　甲第１号証：特開昭６１−２９０４９５号公報
　甲第２号証：特開昭６２−２００５８５号公報
　参考文献：電波新聞社発行、マイコン別冊 LET'S PLAY コンピュータミュージック、昭和６２年９月２５日
　
　１　甲第１号証の発明
「メモリ等に楽曲情報と共にリズムパターン選択情報を記憶しておき、楽曲情報を読み出して自動演奏を行う際にリズムパターン選択情報に基づいてリズムパターンを選択してリズム演奏を行うことにより演奏曲に適し且つ変化に富んだリズム伴奏を可能にしたもの（１頁右下欄１０行ないし１５行）」
　
　２　甲第２号証の発明
「この発明は、回転ヘッド式ディジタルオーディオテープレコーダ（以下、R・DATと称する）を用いてオーディオ信号を編集する場合等に用いて好適な編集装置（１頁右下欄１行ないし４行）」
　
　３　参考文献の発明
「自動演奏装置においてＭＩＤＩのエクシクルーシブのフォーマットを用いるもの（６１頁第１８図）」
　
　上記参考文献の発明においては、「ＭＩＤＩメッセージにおけるエクスクルーシブ・メッセージ」を利用することは記載されているが、このメッセージを「時間制御データ」として利用することは記載されていないし、「時間制御データ」を「コンパクトディスクのプログラムエリアのサブコードエリアのユーザーズビットエリア」に記録することも記載されていない。
　以上、上記甲第１，２号証及び参考文献には、本願発明における主要な事項が記載されていないし示唆もされていない。
　
第５　むすび
　以上、本願発明は、引用例１ないし６の発明、異議申立での甲第１，２号証及び参考文献に記載された発明に基いて当業者が容易に発明をすることができたものとすることはできない。
　また、他に本願を拒絶すべき理由を発見しない。
　よって、結論のとおり審決する。